(57)【要約】【課題】  ワイドパネル等のオプションパネルの脱着に拘わらず、被写体を適正に照明することができるようにしたストロボ装置を提供する。【解決手段】  光源２の前面に配備されるフレネルパネル３と、該フレネルパネル３の表面に適宜重ね合わせられるワイドパネル４と、前記フレネルパネル３の裏面に一端部５ａが対向し他端が図示しない受光センサーに対向する導光手段５とが備えられており、前記受光センサーの受光量に基づき光源２の発光量を制御するストロボ装置において、前記導光手段５の一端部５ａと対向している部分のフレネルパネル３に、ワイドパネル４から垂直方向に入射した光が前記導光手段５の一端部５ａに入射しないように屈折ないし反射させる偏向部１２が形成されている。前記偏向部１２は、フレネルパネル３に垂直方向に入射した光を反射させる臨界角θに相当する斜面１２ｂを複数有する鋸歯形状に形成されている。【選択図】  図４
2006337443.tif 000002
【特許請求の範囲】
【請求項１】
光源の前面に配備されるフレネルパネルと、該フレネルパネルの表面に着脱自在に設けられるオプションパネルと、前記フレネルパネルの裏面に対向する受光センサーとが備えられ、前記受光センサーの受光量に基づき前記光源の発光量を制御するストロボ装置において、
前記受光センサーと対向している部分のフレネルパネルに、前記オプションパネルから垂直方向に入射した光が前記受光センサーに入射しないように屈折ないし反射させる偏向部が形成されていることを特徴とするストロボ装置。
【請求項２】
前記偏向部は、フレネルパネルに垂直方向に入射した光を反射させる臨界角に相当する斜面が形成されてなることを特徴とする請求項１に記載のストロボ装置。
【請求項３】
前記斜面は、鋸歯形状に形成されていることを特徴とする請求項２に記載のストロボ装置。
【請求項４】
前記斜面は、角錐形状に形成されていることを特徴とする請求項２に記載のストロボ装置。
【請求項５】
光源の前面に配備されるフレネルパネルと、該フレネルパネルの表面に着脱自在に設けられるオプションパネルと、前記フレネルパネルの裏面に対向する受光センサーとが備えられ、前記受光センサーの受光量に基づき前記光源の発光量を制御するストロボ装置において、
前記受光センサーと対向する部分のオプションパネルが切り抜かれていることを特徴とするストロボ装置。
【発明の詳細な説明】
【技術分野】
【０００１】
本発明は、写真撮影などで使用されるストロボ装置に関し、詳しくは、光源の前面にフレネルパネルが配備され、このフレネルパネルの表面にワイドパネルが適宜重ね合わされ、さらに、導光手段の一端部が前記フレネルパネルの裏面と対向するように固定されているストロボ装置に関する。
【背景技術】
【０００２】
カメラに内蔵され、あるいは外付けされるストロボ装置が各種提供されている。たとえば特許文献１には、調光機能を備えた、すなわち発光量が所定量に達したときに発光を停止するようにしたストロボ発光装置が開示されている。
【０００３】
このストロボ発光装置は、被写体を照明する発光部と、この発光部の発光量を制御する発光量制御手段と、発光部の光を発光量制御手段に導く導光装置とを備えている。このようなストロボ発光装置は、カメラ本体ユニット内に組み込まれ、カメラ本体ユニット内には調光センサーが備えられている。
【０００４】
前記発光部は、ストロボケース、キセノン管、反射傘、ストロボパネル（以下、「フレネルパネル」という。）、トリガコイル、そしてストロボカバーを備えている。前記発光量制御手段は、ケース、拡散板、赤外カットフィルタ、受光センサーを備えている。前記導光装置は、可撓性を有している光ファイバーであり、一端部がフレネルパネルの裏面に対向するように固定され、他端部が前記拡散板に対向するように固定されている。そして、拡散板は、前記赤外カットフィルタを介して受光センサーに対向している。
【０００５】
このようなストロボ発光装置は、メインのスイッチがＯＮされることにより、定常光下の被写体の輝度が調光センサーによって測定される。そして、レリーズスイッチがＯＮされることにより、発光部が予め設定された発光量でプリ発光し、被写体の輝度が調光センサーによって測定される。そして、カメラに内蔵されたＣＰＵが定常光下の被写体輝度とプリ発光における被写体輝度に基づいて、適正な露出になるストロボの本発光量を演算する。この演算された本発光量で発光部が本発光する。
【０００６】
プリ発光および本発光それぞれにおける各所定光量に達したことを発光量制御手段の受光センサーが検知した時点で、発光量制御手段はキセノン管への給電を停止し、適切な光量のプリ発光および本発光を行うようになっている。
【０００７】
また、ストロボ照射角を変更することができるようにした電子閃光装置が特許文献２に開示されている。この電子閃光装置は、発光部が配置される上部装置本体の前面に発光窓が設けられ、この発光窓にワイドパネルが重なり合う状態と跳ね上がる状態とに揺動できるように取り付けられている。ワイドパネルが発光窓に重ねられると、発光部の発光窓からの閃光が拡散され、広角撮影において被写体が好適に照明される。
【特許文献１】特開２００２−１２２９１１号公報
【特許文献２】特開平１１−６４９３５号公報
【発明の開示】
【発明が解決しようとする課題】
【０００８】
特許文献１に開示されたストロボ発光装置と特許文献２に開示された電子閃光装置とが組み合わされると、調光機能を備え、しかもストロボ照射角を変更することができるようにしたストロボ装置となる。このストロボ装置は、フレネルパネルの裏面に光ファイバーの一端が固定され、ワイドパネルがフレネルパネルの表面に適宜重なり合うように取り付けられる。
【０００９】
そして、望遠撮影（テレ）時には、ワイドパネルがフレネルパネルから外され、発光部で射出された光がフレネルパネルのみ透過して被写体を照明する。そして、広角撮影（ワイド）時には、ワイドパネルがフレネルパネルの表面に重ね合わされ、発光部で射出された光がフレネルパネルとワイドパネルとを透過して被写体を照明する。
【００１０】
したがって、テレ時においては、ワイドパネルがフレネルパネルの表面から外れているため、光ファイバーは、フレネルパネル内を反射しながら進みつつ裏面側に漏出する光のみ受光する。一方、ワイド時においては、ワイドパネルがフレネルパネルの表面に重ね合わされているため、光ファイバーはフレネルパネル内を反射しながら進みつつ裏面側に漏出する光と、ワイドパネル内を反射しながら進みつつフレネルパネル側に漏出しフレネルパネルを透過する光とを受光する。
【００１１】
したがって、光ファイバーから受光センサーに入射する受光量は、テレ時よりもワイド時の方が多くなる。しかし、発光量は受光量に基づいて制御されるため、テレ時の受光量を基準にして発光量が制御されると、ワイド時での発光量が不十分となり、被写体を適正に照明することができない。
【００１２】
そこで、本発明は、ワイドパネルがフレネルパネルに重ね合わされても外されても、所定の光量で発光し、ワイド時でもテレ時でも被写体を適正に照明することができるようにしたストロボ装置を提供することを課題とする。
【課題を解決するための手段】
【００１３】
本発明に係るストロボ装置の第一は、光源の前面に配備されるフレネルパネルと、該フレネルパネルの表面に着脱自在に設けられるオプションパネルと、前記フレネルパネルの裏面に対向する受光センサーとが備えられ、前記受光センサーの受光量に基づき前記光源の発光量を制御するストロボ装置において、前記受光センサーと対向している部分のフレネルパネルに、前記オプションパネルから垂直方向に入射した光が前記受光センサーに入射しないように屈折ないし反射させる偏向部が形成されていることを特徴としている。
【００１４】
このストロボ装置によれば、受光センサーと対向する部分のフレネルパネルに偏向部が形成されることにより、フレネルパネルに重なり合ったオプションパネルからフレネルパネル内に垂直方向に入射した光は、屈曲ないし反射し、受光センサーに入射しにくくなる。したがって、フレネルパネルにオプションパネルが重ね合わされていても、より正確な調光が可能となる。なお、受光センサーは、光ファイバーなどの導光手段を介してフレネルパネルから離れた位置に設置してもよく、この場合、導光手段の一端をフレネルパネルに対向させ、他端を受光センサーに対向させるようにする。また、オプションパネルは、例えば光源からの光を拡散し広角撮影に対応するワイドパネルが該当する。
【００１５】
また、前記本発明に係るストロボ装置において、前記偏向部は、フレネルパネルに垂直方向に入射した光を反射させる臨界角に相当する斜面が形成されてなることが好ましい。
【００１６】
このストロボ装置によれば、偏向部が臨界角に相当する斜面を形成してなることにより、フレネルパネルに垂直方向に入射した光は、偏向部で反射されるため、フレネルパネルの裏面からの漏出をさらに減らすことができ、偏向部と対向している受光センサーにさらに入射しにくくすることができる。なお、フレネルパネルは樹脂のような高密度材料で成形され、受光センサーは低密度の空気中に配置されることから、フレネルパネルに臨界角以上の斜面を形成することにより、理論上、フレネルパネルに垂直方向に入射した光を全反射させることができる。斜面は、一つでもよいし複数形成されていてもよい。
【００１７】
また、前記本発明に係るストロボ装置において、前記斜面は、鋸歯形状に形成されていることが好ましい。
【００１８】
このストロボ装置によれば、偏向部の斜面が鋸歯形状に形成されていることにより、フレネルパネルに垂直方向に入射した光は、平行に同一方向に反射される。ただし、偏向部の中心を境界線にして、斜面が反対方向に向くように形成し、垂直方向に入射した光を二方向に反射するようにしてもよい。
【００１９】
また、前記本発明に係るストロボ装置において、前記斜面は、角錐形状に形成されていていてもよい。
【００２０】
このストロボ装置によれば、偏向部の斜面が角錐形状に形成されていることにより、垂直方向に入射した光が三方向または四方向以上に反射する。
【００２１】
本発明のストロボ装置の第二は、光源の前面に配備されるフレネルパネルと、該フレネルパネルの表面に着脱自在に設けられるオプションパネルと、前記フレネルパネルの裏面に対向する受光センサーとが備えられ、前記受光センサーの受光量に基づき前記光源の発光量を制御するストロボ装置において、前記受光センサーと対向する部分のオプションパネルが切り抜かれていることを特徴としている。
【００２２】
このストロボ装置によれば、受光センサーと対向する部分のオプションパネルが切り抜かれることにより、該箇所におけるオプションパネルが存在しなくなるため、オプションパネルからフレネルパネル内に垂直に入射する光が受光センサーに入射しにくくなる。したがって、フレネルパネルにオプションパネルが重ね合わされていても、より正確な調光が可能となる。
【発明の効果】
【００２３】
本発明によれば、受光センサーと対向している部分のフレネルパネルに偏向部が形成され、この偏向部によってフレネルパネルに重なり合っているオプションパネルからフレネルパネル内に垂直方向に入射した光が屈折ないし反射され、受光センサーに入射しにくくされる。
【００２４】
また、本発明によれば、受光センサーと対向する部分のオプションパネルが切り欠かれているので、該箇所におけるオプションパネルが存在しなくなるため、オプションパネルからフレネルパネル内に垂直に入射する光が受光センサーに入射しにくくなる。
【００２５】
したがって、オプションパネルがフレネルパネルに重ね合わされていても、より正確な調光が可能となる。この結果、ワイド時であってもテレ時であっても、光源は所定の光量で発光し、被写体が良好に照明され、良好に撮影することができる。
【発明を実施するための最良の形態】
【００２６】
本発明に係るストロボ装置の実施形態について図１ないし図６を参照しながら説明する。このストロボ装置は、カメラ本体（図示せず）に内蔵されるか、外付けされるかを問わず、図１および図２に示すように、一端に開口部を設けた筐体１と、この筐体１の開口部側に収納される光源２と、前記開口部を塞ぐフレネルパネル３と、このフレネルパネル３の表面に適宜重ね合わせられるオプションパネルとしてのワイドパネル４と、前記フレネルパネル３の裏面に一端部５ａが対向する導光手段５とが備えられている。
【００２７】
前記筐体１の天板部の裏面には、前記ワイドパネル４を収納する隙間６が設けられている。ワイドパネル４の上端部は、軸によって保持板７に連結されており、保持板７が前記隙間６の奥側に収納されると、ワイドパネル４も保持板７と一直線状となって隙間６内に収納される。このワイドパネル４が隙間６から引き出され、保持板７が隙間６の開口側に位置することにより、ワイドパネル４が保持板７から下向きに折れ曲がった状態となってフレネルパネル３の表面に重なり合う。
【００２８】
フレネルパネル３は、アクリル樹脂のような高密度材料により、表面と裏面とが平行な平板状に形成されている。ただし、フレネルパネル３の裏面には、多数の四角錐状の突起８，８…によってレンズが形成されている。
【００２９】
このようなフレネルパネル３の裏面側のほぼ中心で光源２が対向している。光源２は、キセノン管などの閃光放電管９と、この閃光放電管９の前面側を除いて取り囲む反射傘１０と、閃光放電管９と反射傘１０とを収納するケース１１とを備えている。このような光源２で発光する光の光軸に対して、直交するようにフレネルパネル３が筐体１の開口部に取り付けられている。
【００３０】
また、光源２の下側の筐体１には、光ファイバーなどの導光手段５が固定され、導光手段５の一端部５ａがフレネルパネル３の裏面側の下側中心と対向している。導光手段５の他端部（図示せず）は、筐体１外で受光センサ（図示せず）と対向している。この受光センサーは発光量制御手段（図示せず）に接続され、発光量制御手段は所定量の光量を受光すると、閃光放電管９の発光を停止させる。
【００３１】
ここで、本発明の特徴であるフレネルパネル３について図３ないし図６を参照しながら説明する。フレネルパネル３には、図３に示すように、導光手段５の一端部５ａが対向している部分に偏向部１２が形成されている。この偏向部１２は、ワイドパネル４から垂直方向に入射した光が導光手段５の一端部５ａに入射しないように屈折ないし反射させるもので、例えば図４および図５に示すように鋸歯形状に形成されている。
【００３２】
鋸歯形状の偏向部１２は、ワイドパネル４から垂直方向に入射する光と平行、すなわちフレネルパネル３の裏面と直交する複数の垂直面１２ａと、これら垂直面１２ａの奥端から裏面に傾斜する斜面１２ｂとが備えられている。斜面１２ｂは、ワイドパネル４から垂直方向に入射した光を反射させるべく、臨界角θ以上の角度をなすように形成されている。このような斜面１２ｂは、全て同じ方向を向くようにしてもよいが、二方向に反射するようにするため、図３に示すように、導光手段５の一端部５ａと対向している中心を対称に導光手段５の方を向くようにしてもよい。また、斜面１２ｂは、複数でなくてもよく、図示しないが、垂直面１２ａと斜面１２ｂをそれぞれ一つだけ形成することもできる。
【００３３】
また、フレネルパネル３の偏向部１２の斜面１２ｂは、角錐形状によって形成することもできる。この偏向部１２は、図６に示すような窪んだ四角錐形状とするほか、窪んだ三角錐形状としてもよい。いずれにしても、フレネルパネル３が高密度材料で、導光手段５の一端部５ａが低密度の空気内に位置していることにより、斜面１２ｂによって、ワイドパネル４からフレネルパネル３内に垂直方向に入射した光が導光手段５の一端部５ａに入射しないように反射する臨界角θが設けられる。
【００３４】
このストロボ装置は、以上のように構成され、次にその動作原理について説明する。このストロボ装置は、テレ時において、図１に示すように、ワイドパネル４が筐体１の隙間６内に収納され、フレネルパネル３の表面に重なり合っていない。そして、光源２の閃光放電管９が発光すると、大部分の光はフレネルパネル３を透過し、被写体を照明する。
【００３５】
しかし、一部の光はフレネルパネル３内を反射しながら進みつつ、裏面側から漏出する。この漏出した光は導光手段５の一端部５ａから他端部へ進み、受光素子で受光される。この受光量は、発光量制御手段で検知され、所定量の光量が検知されると、閃光放電管９の発光が停止される。このようにして、被写体は所定の光量で照明される。
【００３６】
そして、ワイド時においては、図２に示すように、ワイドパネル４を筐体１の隙間６内から引出し、フレネルパネル３に重ね合わせる。光源２の閃光放電管９が発光すると、大部分の光はフレネルパネル３とワイドパネル４とを透過し、被写体を照明する。しかし、一部の光はフレネルパネル３内を反射しながら進みつつ、裏面側へ漏出する。また、別の一部の光はワイドパネル４内を反射しながら進みつつ、裏面側へ漏出し、フレネルパネル３内に入射する。
【００３７】
ここで、偏向部１２の斜面１２ｂは、フレネルパネル３の垂直方向に入射した光に対して臨界角θをなすよう形成されているので、フレネルパネル３内に垂直方向に入射した光は、図３および図４に示すように、理論上は、偏向部１２の斜面１２ｂに反射して、導光手段５の一端部５ａに進入しない。斜面１２ｂが図６に示したような角錐形状であっても、フレネルパネル３内に垂直方向に入射した光は、導光手段５の一端部５ａに進入しない。
【００３８】
したがって、ワイドパネル４がフレネルパネル３に重なり合っていても、導光手段５の一端部５ａには、フレネルパネル３内を反射して裏面側へ漏出した光のみが進入し、受光素子で受光される。したがって、発光量制御手段は、ワイド時においてもテレ時とほぼ同じ光量が被写体に照射された時点で閃光放電管９の発光を停止させるようになる。
【００３９】
なお、ワイドパネル４の裏面から漏出し、フレネルパネル３内を斜め方向に進入する光は、導光手段５の一端部５ａに入射するが、この光は導光手段５の一端部５ａの端面で反射するなどの原因で導光手段５内に浸入する量が少なく、垂直方向に入射する光よりも弱くなるため、発光量制御手段が検知する光量に与える影響が少ない。
【００４０】
このようにして、このストロボ装置は、テレ時であってもワイド時であっても所期の光量で被写体を照明するため、良好に写真撮影することができる。
【００４１】
本発明は、前記実施形態に限定することなく、特許請求の範囲に記載した発明特定事項の範囲内において例えば下記のように種々変更することができる。
【００４２】
（１）図７に示すように、偏光部１２の斜面１２ｂを２面形成し、断面略「く」の字状に形成してもよい。この場合にも、ワイドパネル４から垂直方向に入射した光に対して斜面１２ｂが臨界角θ以上の角度をなすように形成できる。
【００４３】
（２）図８に示すように、ワイドパネル４は、フレネルパネル３の前面に装着した状態において導光手段５の一端部５ａと対向する部分に切り抜き部１３を形成してもよい。このようにすれば、導光手段５の一端部５ａと対向する箇所におけるワイドパネル４が存在しなくなるため、ワイドパネル４からフレネルパネル３内に垂直に入射する光が導光手段５に入射しにくくなる。したがって、フレネルパネル３にワイドパネル４が重ね合わされていても、より正確な調光が可能となる。
【産業上の利用可能性】
【００４４】
本発明にかかるストロボ装置は、ワイド時であってもテレ時であっても被写体を適切に照明し、ストロボ装置を組み込んだカメラ、あるいはストロボ装置を外付けするカメラにおいて有用である。
【図面の簡単な説明】
【００４５】
【図１】本発明に係るストロボ装置の一実施形態であって、ワイドパネルがフレネルパネルに重なり合っていない状態を示す正面断面図
【図２】本発明に係るストロボ装置の一実施形態であって、ワイドパネルがフレネルパネルに重なり合っている状態を示す正面断面図
【図３】本発明に係るストロボ装置を構成しているフレネルパネルの一実施形態を示す斜視図
【図４】本発明に係るストロボ装置を構成しているフレネルパネルの一実施形態を示す一部拡大断面図
【図５】本発明に係るストロボ装置を構成しているフレネルパネルの一実施形態を示す要部拡大断面図
【図６】本発明に係るストロボ装置を構成しているフレネルパネルの前記と異なる実施形態を示す要部拡大斜視図
【図７】本発明に係るストロボ装置を構成しているフレネルパネルの前記とさらに異なる実施形態を示す一部拡大断面図
【図８】本発明に係るストロボ装置を構成しているワイドパネルの前記とさらに異なる実施形態を示す斜視図
【符号の説明】
【００４６】
２  光源
３  フレネルパネル
４  ワイドパネル
５  導光手段
５ａ  一端部
１２  偏向部
１２ｂ  斜面
θ  臨界角
【図１】
2006337443.tif 000003
【図２】
2006337443.tif 000004
【図３】
2006337443.tif 000005
【図４】
2006337443.tif 000006
【図５】
2006337443.tif 000007
【図６】
2006337443.tif 000008
【図７】
2006337443.tif 000009
【図８】
2006337443.tif 000010